(57)【要約】【課題】ネットワークアドレスをやりとりするための時間を最小限に抑えることができる通信端末装置を得る。【解決手段】広域ネットワーク（インターネット９）に接続されたネットワーク機器（表示装置２０Ａ）のネットワークアドレス（ＩＰアドレス）を、ネットワーク機器（表示装置２０Ａ）からローカルな機器間通信によって受信する受信手段（ステップＳ６）と、受信手段（ステップＳ６）によって受信したネットワーク機器（表示装置２０Ａ）のネットワークアドレス（ＩＰアドレス）を、広域ネットワークとは異なる通信経路（ＳＭＳ通信手段Ｂ）を介して他の通信端末装置（モバイル機器１０Ｂ）に送信する送信手段（ステップＳ７）とを備える。【選択図】図４
2011188111.tif 000002
【特許請求の範囲】
【請求項１】
広域ネットワークに接続されたネットワーク機器のネットワークアドレスを、前記ネットワーク機器からローカルな機器間通信によって受信する受信手段と、
前記受信手段によって受信した前記ネットワーク機器のネットワークアドレスを、前記広域ネットワークとは異なる通信経路を介して他の通信端末装置に送信する送信手段と
を備えた通信端末装置。
【請求項２】
前記他の通信端末装置は、前記広域ネットワークに接続された他のネットワーク機器との間でローカルな機器間通信を行う機能を有するものである
請求項１に記載の通信端末装置。
【請求項３】
前記ネットワーク機器は表示装置である
請求項１に記載の通信端末装置。
【請求項４】
前記広域ネットワークはインターネットであり、
前記ネットワークアドレスはＩＰアドレスである
請求項１に記載の通信端末装置。
【請求項５】
前記ネットワーク機器は、ローカルエリアネットワークを介して所定の電子機器が接続されたルータであり、
前記受信手段は、前記ルータから、このルータのＩＰアドレスに加えて、前記電子機器を特定するためのポート番号を受信し、
前記送信手段は、前記ルータのＩＰアドレスと共に前記ポート番号を前記他の通信端末装置に送信する
請求項４に記載の通信端末装置。
【請求項６】
前記電子機器は表示装置である
請求項５に記載の通信端末装置。
【請求項７】
前記広域ネットワークとは異なる通信経路は、ショートメッセージサービス（ＳＭＳ）において用いられる通信経路である
請求項１に記載の通信端末装置。
【請求項８】
広域ネットワークに接続されたネットワーク機器のネットワークアドレスを、前記広域ネットワークとは異なる通信経路を介して他の通信端末装置から受信する受信手段と、
前記受信手段が受信した前記ネットワーク機器のネットワークアドレスを、前記広域ネットワークに接続された他のネットワーク機器にローカルな機器間通信によって送信する送信手段と
を備えた通信端末装置。
【請求項９】
広域ネットワークに接続されたネットワーク機器のネットワークアドレスを、前記広域ネットワークとは異なる通信経路を介して他の通信端末装置から受信する受信手段と、
前記ネットワーク機器との間で、前記広域ネットワークを介してデータを送受信するデータ送受信手段と
を備えた通信端末装置。
【請求項１０】
通信端末装置からの問い合わせに応じ、自己のネットワークアドレスを前記通信端末装置にローカルな機器間通信によって送信する送信手段と、
前記通信端末装置から広域ネットワークとは異なる通信経路を介して他の通信端末装置に送られた前記ネットワークアドレスを前記他の通信端末装置からローカルな機器間通信によって受信した他のネットワーク機器との間で、前記広域ネットワークを介してデータを送受信するデータ送受信手段と
を備えたネットワーク機器。
【請求項１１】
通信端末装置からの問い合わせに応じ、自己のネットワークアドレスを前記通信端末装置にローカルな機器間通信によって送信する送信手段と、
前記通信端末装置から広域ネットワークとは異なる通信経路を介して送られた前記ネットワークアドレスを受信した他の通信端末装置との間で、前記広域ネットワークを介してデータを送受信するデータ送受信手段と
を備えたネットワーク機器。
【請求項１２】
他のネットワーク機器からローカルな機器間通信によって通信端末装置に送られると共に前記通信端末装置から広域ネットワークとは異なる通信経路を介して他の通信端末装置に送られた前記他のネットワーク機器のネットワークアドレスを、前記他の通信端末装置からローカルな機器間通信によって受信する受信手段と、
前記広域ネットワークを介して前記他のネットワーク機器との間でデータを送受信するデータ送受信手段と
を備えたネットワーク機器。
【請求項１３】
通信端末装置からの問い合わせに応じ、自己のＩＰアドレスとローカルエリアネットワークを介して接続された所定の電子機器を特定するためのポート番号とを前記通信端末装置にローカルな機器間通信によって送信する送信手段と、
前記通信端末装置からインターネットとは異なる通信経路を介して他の通信端末装置に送られた前記ＩＰアドレスおよび前記ポート番号を前記他の通信端末装置からローカルな機器間通信によって受信した他のネットワーク機器と前記電子機器との間のデータ送受信を、前記他のネットワーク機器との間のインターネットと前記ローカルエリアネットワークを介して中継する中継手段と
を備えたネットワーク機器。
【請求項１４】
前記電子機器は表示装置である
請求項１３に記載のネットワーク機器。
【請求項１５】
広域ネットワークに接続されたネットワーク機器と、
前記ネットワーク機器のネットワークアドレスを、前記ネットワーク機器からローカルな機器間通信によって受信する通信端末装置と、
前記ネットワークアドレスを、前記広域ネットワークとは異なる通信経路を介して、前記通信端末装置から受信する他の通信端末装置と、
前記広域ネットワークに接続され、前記ネットワークアドレスを前記他の通信端末装置からローカルな機器間通信によって受信し、前記ネットワーク機器との間で前記広域ネットワークを介してデータの送受信を行う他のネットワーク機器と
を備えた通信システム。
【請求項１６】
広域ネットワークに接続されたネットワーク機器と、
前記ネットワーク機器のネットワークアドレスを、前記ネットワーク機器からローカルな機器間通信によって受信する通信端末装置と、
前記ネットワークアドレスを、前記広域ネットワークとは異なる通信経路を介して、前記通信端末装置から受信し、前記ネットワーク機器との間で、前記広域ネットワークを介してデータの送受信を行う他の通信端末装置と
を備えた通信システム。
【請求項１７】
通信端末装置が、広域ネットワークに接続されたネットワーク機器のネットワークアドレスを、前記ネットワーク機器からローカルな機器間通信によって受信するとともに、このネットワークアドレスを前記広域ネットワークとは異なる通信経路を介して、他の通信端末装置に送信し、
前記他の通信端末装置が、前記通信端末装置から受信した前記ネットワークアドレスを、前記広域ネットワークに接続された他のネットワーク機器にローカルな機器間通信によって送信し、
前記ネットワーク機器および前記他のネットワーク機器の相互間において、前記広域ネットワークを介してデータを送受信する
通信方法。
【請求項１８】
通信端末装置が、広域ネットワークに接続されたネットワーク機器のネットワークアドレスを、前記ネットワーク機器からローカルな機器間通信によって受信するとともに、このネットワークアドレスを前記広域ネットワークとは異なる通信経路を介して、他の通信端末装置に送信し、
前記他の通信端末装置が、前記ネットワーク機器との間で、前記広域ネットワークを介してデータを送受信する
通信方法。
【発明の詳細な説明】
【技術分野】
【０００１】
本発明は、データの送受信を行う通信システム、およびこのようなシステムに好適に用いられる通信端末装置、ネットワーク機器、通信方法に関する。
【背景技術】
【０００２】
インターネットの普及に伴い、多くの情報がインターネットを介してやりとりされている。ユーザ間の情報のやりとりを行う際には、従来から行われてきた電子メールへの添付による方法に加え、近年、各ユーザのネットワーク機器間でインターネットを介して直接やりとりを行う方法も用いられている。
【０００３】
インターネットを介した情報のやりとりは、送受信する機器を識別するためのＩＰ（Internet Protocol）アドレスを用いて行われる。インターネットに接続されたネットワーク機器には、グローバルＩＰアドレス（ネットワークアドレス）が割り当てられ、各ネットワーク機器は、そのグローバルＩＰアドレスを用いて相手のネットワーク機器を特定することにより、情報のやりとりを行っている。
【０００４】
通常、ＩＳＰ（Internet Service Provider）は、各加入顧客に対して、時分割的にグローバルＩＰアドレスを割り当てる。つまり、グローバルＩＰアドレスは固定でなく、時間とともに変化する。そこで、各ユーザのネットワーク機器間で直接情報のやりとりをする場合には、その情報のやりとりをする前に、相手のネットワーク機器のグローバルＩＰアドレスを取得する必要がある。言い換えれば、情報のやりとりを行う一対のネットワーク機器の少なくとも一方は、他方に対し、自らのグローバルＩＰアドレスを通知する必要がある。
【０００５】
グローバルＩＰアドレスを通知する方法について、多くの提案がなされている。例えば、特許文献１には、外部機器が、インターネットに接続された家庭内システムにアクセスする際に、家庭内システムがそのルータのグローバルＩＰアドレスを電子メールにより外部機器に通知するＩＰアドレスの通知方法が開示されている。特許文献２には、外部機器が、インターネットにダイヤルアップ接続されたネットワーク機器にアクセスする際、そのネットワーク機器が自らのグローバルＩＰアドレスを電子メールにより外部機器に通知するＩＰアドレスの通知方法が開示されている。特許文献３には、ＶｏＩＰ（Voice Over IP）端末同士が通話する際に、各端末がそのグローバルＩＰアドレスを電子メールにより相手の端末に通知するＩＰアドレスの通知方法が開示されている。つまり、これらはすべて、自らのグローバルＩＰアドレスをインターネット経由の電子メールにより相手に通知するものである。相手のネットワーク機器は、メールサーバにアクセスしてこの電子メールを得ることにより、電子メールを送信したネットワーク機器のグローバルＩＰアドレスを取得することができる。
【先行技術文献】
【特許文献】
【０００６】
【特許文献１】特開２００３−２０９５５９号公報
【特許文献２】特開２００２−２９０５９８号公報
【特許文献３】特開２００２−１２４９８２号公報
【発明の概要】
【発明が解決しようとする課題】
【０００７】
しかしながら、特許文献１〜３に開示されたＩＰアドレスの通知方法では、グローバルＩＰアドレスを取得する際、メールサーバにアクセスする必要がある。よって、ネットワーク機器がメールサーバにアクセスする頻度の設定によっては、グローバルＩＰアドレスの取得に時間がかかる場合もある。この場合には、ユーザは、すぐに相手のネットワーク機器との接続を行うことができず、待たされることとなる。
【０００８】
本発明はかかる問題点に鑑みてなされたもので、その目的は、ネットワーク機器間のデータ送受信の際、ネットワークアドレスのやりとりに要する時間を最小限に抑えることが可能な通信端末装置、ネットワーク機器、通信システム、および通信方法を提供することにある。
【課題を解決するための手段】
【０００９】
本発明の第１の通信端末装置は、受信手段と、送信手段とを備えている。受信手段は、広域ネットワークに接続されたネットワーク機器のネットワークアドレスを、ネットワーク機器からローカルな機器間通信によって受信するものである。送信手段は、受信手段によって受信したネットワーク機器のネットワークアドレスを、広域ネットワークとは異なる通信経路を介して他の通信端末装置に送信するものである。広域ネットワークは、例えば、インターネットであり、ネットワークアドレスはＩＰアドレスであるのが望ましい。
【００１０】
本発明の第２の通信端末装置は、受信手段と、送信手段とを備えている。受信手段は、広域ネットワークに接続されたネットワーク機器のネットワークアドレスを、広域ネットワークとは異なる通信経路を介して他の通信端末装置から受信するものである。送信手段は、受信手段が受信したネットワーク機器のネットワークアドレスを、広域ネットワークに接続された他のネットワーク機器にローカルな機器間通信によって送信するものである。
【００１１】
本発明の第３の通信端末装置は、受信手段と、データ送受信手段とを備えている。受信手段は、広域ネットワークに接続されたネットワーク機器のネットワークアドレスを、広域ネットワークとは異なる通信経路を介して他の通信端末装置から受信するものである。データ送受信手段は、ネットワーク機器との間で、広域ネットワークを介してデータを送受信するものである。
【００１２】
本発明の第１のネットワーク機器は、送信手段と、データ送受信手段とを備えている。送信手段は、通信端末装置からの問い合わせに応じ、自己のネットワークアドレスを通信端末装置にローカルな機器間通信によって送信するものである。データ送受信手段は、通信端末装置から広域ネットワークとは異なる通信経路を介して他の通信端末装置に送られたネットワークアドレスを他の通信端末装置との間のローカルな機器間通信によって受信した他のネットワーク機器との間で、広域ネットワークを介してデータを送受信するものである。
【００１３】
本発明の第２のネットワーク機器は、送信手段と、データ送受信手段とを備えている。送信手段は、通信端末装置からの問い合わせに応じ、自己のネットワークアドレスを通信端末装置にローカルな機器間通信によって送信するものである。データ送受信手段は、通信端末装置から広域ネットワークとは異なる通信経路を介して送られたネットワークアドレスを受信した他の通信端末装置との間で、広域ネットワークを介してデータを送受信するものである。
【００１４】
本発明の第３のネットワーク機器は、受信手段と、データ送受信手段とを備えている。受信手段は、他のネットワーク機器からローカルな機器間通信によって通信端末装置に送られると共に通信端末装置から広域ネットワークとは異なる通信経路を介して他の通信端末装置に送られた他のネットワーク機器のネットワークアドレスを、他の通信端末装置との間のローカルな機器間通信によって受信するものである。データ送受信手段は、広域ネットワークを介して他のネットワーク機器との間でデータを送受信するものである。
【００１５】
本発明の第４のネットワーク機器は、送信手段と、中継手段とを備えている。送信手段は、通信端末装置からの問い合わせに応じ、自己のＩＰアドレスとローカルエリアネットワークを介して接続された所定の電子機器を特定するためのポート番号とを通信端末装置にローカルな機器間通信によって送信するものである。中継手段は、通信端末装置からインターネットとは異なる通信経路を介して他の通信端末装置に送られたＩＰアドレスおよびポート番号を他の通信端末装置からローカルな機器間通信によって受信した他のネットワーク機器と電子機器との間のデータ送受信を、他のネットワーク機器との間のインターネットとローカルエリアネットワークを介して中継するものである。
【００１６】
本発明の第１の通信システムは、ネットワーク機器と、通信端末装置と、他の通信端末装置と、他のネットワーク機器とを備えている。ネットワーク機器は、広域ネットワークに接続されたものである。通信端末装置は、ネットワーク機器のネットワークアドレスを、ネットワーク機器からローカルな機器間通信によって受信するものである。他の通信端末装置は、ネットワークアドレスを、広域ネットワークとは異なる通信経路を介して、通信端末装置から受信するものである。他のネットワーク機器は、広域ネットワークに接続され、ネットワークアドレスを他の通信端末装置からローカルな機器間通信によって受信し、ネットワーク機器との間で広域ネットワークを介してデータの送受信を行うものである。
【００１７】
本発明の第２の通信システムは、ネットワーク機器と、通信端末装置と、他の通信端末装置とを備えている。ネットワーク機器は、広域ネットワークに接続されたものである。通信端末装置は、ネットワーク機器のネットワークアドレスを、ネットワーク機器からローカルな機器間通信によって受信するものである。他の通信端末装置は、ネットワークアドレスを、広域ネットワークとは異なる通信経路を介して、通信端末装置から受信し、ネットワーク機器との間で、広域ネットワークを介してデータの送受信を行うものである。
【００１８】
本発明の第１の通信方法は、通信端末装置が、広域ネットワークに接続されたネットワーク機器のネットワークアドレスを、ネットワーク機器からのローカルな機器間通信によって受信するとともに、このネットワークアドレスを広域ネットワークとは異なる通信経路を介して、他の通信端末装置に送信し、他の通信端末装置が、通信端末装置から受信したネットワークアドレスを、広域ネットワークに接続された他のネットワーク機器にローカルな機器間通信によって送信し、ネットワーク機器および他のネットワーク機器の相互間において、広域ネットワークを介してデータを送受信するものである。
【００１９】
本発明の第２の通信方法は、通信端末装置が、広域ネットワークに接続されたネットワーク機器のネットワークアドレスを、ネットワーク機器からローカルな機器間通信によって受信するとともに、このネットワークアドレスを広域ネットワークとは異なる通信経路を介して、他の通信端末装置に送信し、他の通信端末装置が、ネットワーク機器との間で、広域ネットワークを介してデータを送受信するものである。
【００２０】
本発明の第１の通信端末装置、第２の通信端末装置、第１のネットワーク機器、第３のネットワーク機器、第１の通信システム、および第１の通信方法では、第１のネットワーク機器と第３のネットワーク装置との間で、広域ネットワークを介してデータの送受信が行われる。その際、そのデータの送受信に先立ち、第１のネットワーク機器のネットワークアドレスが、第１のネットワーク機器と第１の通信端末装置との間のローカルな機器間通信、第１の通信端末装置と第２の通信端末装置との間の広域ネットワークとは異なる通信経路、および第２の通信端末装置と第３のネットワーク機器との間のローカルな機器間通信を介して、第３のネットワーク機器に通知される。
【００２１】
本発明の第１の通信端末装置、第２の通信端末装置、第３のネットワーク機器、第４のネットワーク機器、第１の通信システム、および第１の通信方法では、電子機器と第３のネットワーク装置との間で、インターネット（広域ネットワーク）とローカルエリアネットワークを介してデータの送受信が行われる。その際、そのデータの送受信に先立ち、第４のネットワーク機器に接続された電子機器を特定するためのＩＰアドレスとポート番号（ネットワークアドレス）が、第４のネットワーク機器と第１の通信端末装置との間のローカルな機器間通信、第１の通信端末装置と第２の通信端末装置との間のインターネットによる通信、および第２の通信端末装置と第３のネットワーク機器との間のローカルな機器間通信を介して、第３のネットワーク機器に通知される。
【００２２】
本発明の第１の通信端末装置、第３の通信端末装置、第２のネットワーク機器、第２の通信システム、および第２の通信方法では、第３の通信端末装置と第２のネットワーク機器との間で、広域ネットワークを介してデータの送受信が行われる。その際、そのデータの送受信に先立ち、第２のネットワーク機器のネットワークアドレスが、第２のネットワーク機器と第１の通信端末装置との間のローカルな機器間通信、第１の通信端末装置と第３の通信端末装置との間の広域ネットワークとは異なる通信経路を介して、第３の通信端末装置に通知される。
【００２３】
本発明の第１の通信端末装置では、他の通信端末装置は、例えば、広域ネットワークに接続された他のネットワーク機器との間でローカルな機器間通信を行う機能を有するものを用いるようにしてもよい。ネットワーク機器は、例えば、表示装置が適用できる。広域ネットワークとは異なる通信経路は、例えば、ショートメッセージサービス（ＳＭＳ）において用いられる通信経路が使用可能である。
【００２４】
例えば、広域ネットワークがインターネットである場合には、ネットワーク機器は、例えばローカルエリアネットワークを介して所定の電子機器が接続されたルータであってもよい。この場合、例えば、受信手段は、ルータから、このルータのＩＰアドレスに加えてこの電子機器を特定するためのポート番号を受信し、送信手段は、ルータのＩＰアドレスと共にポート番号を他の通信端末装置に送信するようにすることができる。この電子機器は、例えば表示装置が適用可能である。
【００２５】
本発明の第４のネットワーク機器では、電子機器は、例えば表示装置が適用できる。
【発明の効果】
【００２６】
本発明の第１および第２の通信端末装置、第１〜第３のネットワーク機器、第１の通信システム、および第１の通信方法によれば、ローカルな機器間通信によってネットワーク機器と通信でき、かつ広域ネットワークとは異なる通信経路を介して他の通信端末装置と通信できる通信端末装置を用いるようにしたので、ネットワーク機器間でネットワークアドレスをやりとりするための時間を最小限に抑えることができる。
【００２７】
本発明の第１の通信端末装置、第３の通信端末装置、第２のネットワーク機器、第２の通信システム、および第２の通信方法によれば、ローカルな機器間通信によって第２のネットワーク機器と通信できる第１の通信端末装置と、第１の通信端末装置と広域ネットワークとは異なる通信経路を介して通信できる第３の通信端末装置とを用いるようにしたので、第２のネットワーク機器と第３の通信端末装置との間でネットワークアドレスをやりとりするための時間を最小限に抑えることができる。
【図面の簡単な説明】
【００２８】
【図１】本発明の第１の実施の形態に係る通信システムの一構成例を表すブロック図である。
【図２】図１に示したモバイル機器の一構成例を表ブロック図である。
【図３】図１に示した表示装置の一構成例を表ブロック図である。
【図４】図１に示した通信システムの一動作例を表すシーケンス図である。
【図５】図１に示したモバイル機器の一動作例を表すフローチャートである。
【図６】図１に示した通信システムの他の動作例を表すシーケンス図である。
【図７】本発明の第１の実施の形態の変形例に係る通信システムの動作例を表すシーケンス図である。
【図８】本発明の第１の実施の形態の他の変形例に係る通信システムの一動作例を表すシーケンス図である。
【図９】本発明の第１の実施の形態の他の変形例に係る通信システムの一動作例を表すシーケンス図である。
【図１０】本発明の第２の実施の形態に係る通信システムの一構成例を表すブロック図である。
【図１１】図１０に示した通信システムの一動作例を表すシーケンス図である。
【図１２】図１０に示した通信システムの他の動作例を表すシーケンス図である。
【図１３】本発明の第３の実施の形態に係る通信システムの一構成例を表すブロック図である。
【図１４】図１３に示したモバイル機器の一構成例を表ブロック図である。
【図１５】図１３に示した通信システムの一動作例を表すシーケンス図である。
【図１６】本発明の第１の実施の形態の他の変形例に係る通信システムの一動作例を表すシーケンス図である。
【発明を実施するための形態】
【００２９】
以下、本発明の実施の形態について、図面を参照して詳細に説明する。なお、説明は以下の順序で行う。
１．第１の実施の形態
２．第２の実施の形態
３．第３の実施の形態
【００３０】
＜１．第１の実施の形態＞
［構成例］
図１は、本発明の第１の実施の形態に係る通信システムの一構成例を表すものである。なお、本発明の実施の形態に係る通信端末装置、ネットワーク機器、および通信方法は、本実施の形態により具現化されるので、併せて説明する。通信システム１は、インターネットに接続された表示装置の間でインターネットを介してデータの送受信を行う際に、モバイル機器を介してグローバルＩＰアドレスを相手に通知するものである。通信システム１は、表示装置２０Ａ，２０Ｂと、モバイル機器１０Ａ，１０Ｂとを備えている。以下では、表示装置２０Ａ，２０Ｂの総称として表示装置２０を適宜用い、モバイル機器１０Ａ，１０Ｂの総称としてモバイル機器１０を適宜用いるものとする。
【００３１】
表示装置２０は、この例ではアンテナ（図示せず）で受信したテレビ放送を表示する表示装置である。表示装置２０は、インターネット９に接続されており、インターネット９に接続された他のネットワーク機器との間（この例では表示装置２０Ａ，２０Ｂ間）で、インターネット通信手段Ｃにより、例えば画像や動画などのデータを送受信するものである。インターネット９は、後述するＳＭＳ（Short Message Service）に比べて、大容量の電子情報の送受信を実現することができるものである。この例では、表示装置２０は、インターネット９に直接接続されている。つまり、表示装置２０は、インターネット９において表示装置２０を識別するためのグローバルＩＰアドレスを持つものである。
【００３２】
モバイル機器１０は、携帯電話、ＰＤＡ（Personal Digital Assistant）、携帯型音楽プレーヤなどの電子機器であり、他のモバイル機器との間（この例ではモバイル１０Ａ，１０Ｂ間）で、ＳＭＳ通信手段Ｂにより情報をやり取りする機能を有するものである。ＳＭＳは、電話番号を用いて通信相手を特定することにより情報のやりとりを行うものであり、メールを受信するためにサーバに定期的にアクセスする必要があるインターネット経由の電子メールと異なり、相手先に直接、最小限の遅延でメールを送信でき、かつ届いたかどうかを送信時に確認できるものである。また、モバイル機器１０は、近くに配置された表示装置２０との間で、ローカルな機器間通信手段Ａにより情報をやり取りすることができる。ローカルな機器間通信手段Ａは、このように家庭内などで使用される比較的近距離の通信手段であり、一意的な通信経路を有するものである。ローカルな機器間通信手段Ａは、例えば、ワイヤレスＬＡＮ（Local Area Network）、Bluetooth、赤外線などの無線通信、ＬＡＮ、ＵＳＢ（Universal Serial Bus）などの有線通信、もしくはこれらの組み合わせにより実現される。この例では、モバイル機器１０Ａおよび表示装置２０Ａは家庭Ａにあり、モバイル機器１０Ａは、モバイル機器１０Ａの近くに配置された表示装置２０Ａとの間でローカルな機器間通信手段Ａによる通信が可能である。同様に、モバイル機器１０Ｂおよび表示装置２０Ｂは家庭Ｂにあり、モバイル機器１０Ｂは、モバイル機器１０Ｂの近くに配置された表示装置２０Ｂとの間でローカルな機器間通信手段Ａによる通信が可能となっている。
【００３３】
以上の構成により、通信システム１は、後述するように、表示装置２０Ａ，２０Ｂ間でインターネット９を介して情報をやり取りする際に、表示装置２０Ａとモバイル機器１０Ａとの間のローカルな機器間通信手段Ａ、およびモバイル機器１０Ａとモバイル機器１０Ｂとの間のＳＭＳ通信手段Ｂ、表示装置２０Ｂとモバイル機器１０Ｂとの間のローカルな機器間通信手段Ａを用いて、表示装置２０Ａ，２０Ｂのうちの一方のグローバルＩＰアドレスを他方に通知するようになっている。
【００３４】
図２は、表示装置２０の一構成例を表すものである。表示装置２０は、チューナ２１と、映像処理部２２と、表示出力部２３と、ネットワークインターフェース部２４と、記憶部２５とを備えている。チューナ２１は、アンテナ（図示せず）において受信した放送波から、所望の信号を選択し、画像信号として出力するものである。画像処理部２２は、チューナ２１から供給された画像信号に対してガンマ処理などの画像信号処理を施す機能を有している。表示出力部２３は、画像処理部２２において処理された画像信号に基づいて表示動作を行うものである。ネットワークインターフェース部２４は、インターネット９に対するインターフェースであり、インターネット通信手段Ｃを実現するためのものである。記憶部２５は、例えばＨＤＤ（Hard Disk Drive）などにより構成され、電子情報を記憶するためのものである。具体的には、記憶部２５は、後述するように、例えば、インターネット９に接続された他のネットワーク機器から提供された画像や動画などを記憶し、あるいは、他のネットワーク機器に提供するために画像や動画などを記憶しておくためのものである。
【００３５】
さらに、表示装置２０は、識別情報送受信部２６と、データ送受信部２７とを備えている。識別情報送受信部２６およびデータ送受信部２７は、表示装置２０の近くのモバイル機器１０との間で、ローカルな機器間通信手段Ａを実現するためのものである。識別情報送受信部２６は、表示装置２０の自らのグローバルＩＰアドレス（識別情報）を、ローカルな機器間通信手段Ａによりモバイル機器１０に送信し、あるいは、モバイル機器１０から提供される他のネットワーク機器のグローバルＩＰアドレスを受信する機能を有する。データ送受信部２７は、モバイル機器１０との間で、識別情報以外の情報をやり取りするためのものである。具体的には、データ送受信部２７は、モバイル機器１０から、チャンネル選択、音量調節など、表示装置２０を操作するための制御コマンドを受信し、あるいは、モバイル機器１０に対して写真一覧などのデータ（後述）を送信するものである。
【００３６】
上記した表示装置２０の各ブロックは、制御部２９に接続されている。制御部２９は、これらのブロック間の情報のやり取りを制御するものである。
【００３７】
図３は、モバイル機器１０の一構成例を表すものである。モバイル機器１０は、操作入力部１１と、表示出力部１２と、ＳＭＳ送受信部１３と、識別情報送受信部１４と、データ送受信部１５とを備えている。操作入力部１１は、ユーザが情報を入力するためのインターフェースである。表示出力部１２は、モバイル機器１０の状態やユーザへの指示などを表示するものである。ＳＭＳ送受信部１３は、例えば携帯電話モジュールなどにより構成され、他のモバイル機器等との間でＳＭＳの送受信を行うものであり、ＳＭＳ通信手段Ｂを実現するためのものである。
【００３８】
識別情報送受信部１４と、データ送受信部１５は、近くの表示装置２０との間で、ローカルな機器間通信手段Ａを実現するためのものである。識別情報送受信部１４は、表示装置２０から送信される表示装置２０のグローバルＩＰアドレスを、ローカルな機器間通信手段Ａにより受信し、あるいは、他のネットワーク機器のグローバルＩＰアドレスを、ローカルな機器間通信手段Ａにより表示装置２０に送信する機能を有している。データ送受信部１５は、表示装置２０との間で、識別情報以外の情報をやり取りするためのものである。
【００３９】
上記したモバイル機器１０の各ブロックは、制御部１９に接続されている。制御部１９は、これらのブロック間の情報のやり取りを制御するものである。
【００４０】
ここで、モバイル機器１０Ａは、本発明における「第１の通信端末装置」の一具体例に対応し、モバイル機器１０Ｂは、本発明における「第２の通信端末装置」の一具体例に対応する。表示装置２０Ａは、本発明における「第１のネットワーク機器」の一具体例に対応し、表示装置２０Ｂは、本発明における「第３のネットワーク機器」の一具体例に対応する。通信システム１は、本発明における「第１の通信システム」の一具体例に対応する。
【００４１】
［動作および作用］
続いて、本実施の形態の通信システム１の動作および作用について説明する。
（全体動作概要）
【００４２】
表示装置２０Ａ，２０Ｂとの間における、インターネット９を介したデータの送受信に先立ち、まず、表示装置２０Ａ，２０Ｂの一方が、他方に対してグローバルＩＰアドレスを通知する。ここでは、一例として、表示装置２０Ａが、表示装置２０Ｂに対してグローバルＩＰアドレスを通知する例を説明する。
【００４３】
まず、モバイル機器１０Ａが、ローカルな機器間通信手段Ａを用いて、表示装置２０Ａに対してグローバルＩＰアドレスを要求する。表示装置２０Ａは、この要求に応じて、ローカルな機器間通信手段Ａを用いてグローバルＩＰアドレスをモバイル機器１０Ａに送信する。モバイル機器１０Ａは、ＳＭＳ通信手段Ｂを用いて、表示装置２０ＡのグローバルＩＰアドレスをモバイル機器１０Ｂに送信する。モバイル機器１０Ｂは、ローカルな機器間通信手段Ａを用いて、表示装置２０ＡのグローバルＩＰアドレスを表示装置２０Ｂに通知する。以上により、表示装置２０Ｂは、表示装置２０ＡのグローバルＩＰアドレスを入手し、これを用いて表示装置２０Ａとの間でデータの送受信を行う。
【００４４】
（詳細動作例−写真を送信する場合）
図４は、モバイル機器１０Ａをユーザーインターフェースとして、表示装置２０Ａから表示装置２０Ｂへ写真を送信する場合のシーケンス図を表すものである。この例では、モバイル機器１０Ａをユーザーインターフェースとし、表示装置２０Ａに記録された写真を選択し、その写真のファイル名および表示装置２０ＡのグローバルＩＰアドレスを、ＳＭＳ通信手段Ｂなどを用いて表示装置２０Ｂに通知する。表示装置２０Ｂは、通知されたグローバルＩＰアドレスに基づいて表示装置２０Ａを特定し、その写真のファイル名を用いて、表示装置２０Ａから該当するファイルを取得する。以下に、その詳細動作を説明する。
【００４５】
まず、ユーザは、モバイル機器１０Ａに対して、表示装置２０Ａに記憶されている写真の一覧を取得するように指示を行う（ステップＳ１）。
【００４６】
次に、モバイル機器１０Ａは、表示装置２０Ａに対して写真一覧取得要求を送信する（ステップＳ２）。具体的には、モバイル機器１０Ａのデータ送受信部１５が、表示装置２０Ａに対して、ローカルな機器間通信手段Ａを用いて、表示装置２０Ａに記憶されている写真の一覧を取得するための要求を送信する。表示装置２０Ａのデータ送受信部２７は、この要求を受信する。
【００４７】
次に、表示装置２０Ａは、モバイル機器１０Ａに対して写真一覧を送信する（ステップＳ３）。具体的には、まず、表示装置２０Ａの制御部２９が、記憶部２５に記憶されている写真の一覧を作成する。この一覧は、この例ではファイル名の一覧である。なお、ファイル名の一覧とともに、各写真のサムネイルが付されていても良い。そして、データ送受信部２７は、ローカルな機器間通信手段Ａを用いて、その写真の一覧をモバイル機器１０Ａに送信する。モバイル機器１０Ａのデータ送受信部１５は、この写真の一覧を受信する。
【００４８】
次に、ユーザは、写真を選択して送信するための指示を行う（ステップＳ４）。具体的には、モバイル機器１０Ａでは、ユーザの指示に従い、まず表示出力部１２がステップＳ３で受信した写真の一覧を表示する。ユーザはその一覧を用いて送信したい写真を選択する。そして、表示出力部１２は写真の送信先の一覧を表示し、ユーザは、モバイル機器１０Ａの操作入力部１１を用いて、その送信先の一覧から送信先（この例では表示装置２０Ｂ（モバイル機器１０Ｂ））を選択する。
【００４９】
次に、モバイル機器１０Ａは、表示装置２０Ａに対してＩＰアドレス取得要求を送信する（ステップＳ５）。具体的には、モバイル機器１０Ａのデータ送受信部１５が、ローカルな機器間通信手段Ａを用いて、ＩＰアドレス取得要求を表示装置２０Ａに送信する。表示装置２０Ａのデータ送受信部２７は、この要求を受信する。
【００５０】
次に、表示装置２０Ａは、モバイル機器１０Ａに対してＩＰアドレスを送信する（ステップＳ６）。具体的には、表示装置２０Ａの識別情報送受信部２６が、ローカルな機器間通信手段Ａを用いて、自らのＩＰアドレス（グローバルＩＰアドレス）をモバイル機器１０Ａに送信する。モバイル機器１０Ａの識別情報送受信部１４は、このＩＰアドレスを受信する。
【００５１】
次に、モバイル機器１０Ａは、モバイル機器１０Ｂに対して写真取得要求を送信する（ステップＳ７）。具体的には、モバイル機器１０ＡのＳＭＳ送受信部１３が、ＳＭＳ通信手段Ｂを用いて、ステップＳ４において選択したモバイル機器１０Ｂに対して、写真取得要求を送信する。その際、写真取得要求には、ステップＳ４において選択した送信したい写真のファイル名（選択写真情報）と、ステップＳ６において取得した表示装置２０ＡのＩＰアドレスの情報が含まれている。モバイル機器１０ＢのＳＭＳ送受信部１３は、この写真取得要求を受信する。
【００５２】
次に、モバイル機器１０Ｂは、表示装置２０Ｂに対して写真取得要求を送信する（ステップＳ８）。具体的には、モバイル機器１０Ｂにおいて、データ送受信部１５が、ローカルな機器間通信手段Ａを用いて、表示装置２０Ｂに対して写真取得要求を送信するとともに、識別情報送受信部１４が、表示装置２０ＡのＩＰアドレスを送信する。表示装置２０Ｂでは、データ送受信部２７がこの写真取得要求を受信するとともに、識別情報送受信部２６が表示装置２０ＡのＩＰアドレスを受信する。
【００５３】
次に、表示装置２０Ｂは、表示装置２０Ａに対して写真取得要求を送信する（ステップＳ９）。具体的には、表示装置２０Ｂのネットワークインターフェース部２４が、インターネット通信手段Ｃを用いて、写真取得要求を表示装置２０Ａに送信する。その際、表示装置２０Ｂは、ステップＳ８において取得した表示装置２０ＡのＩＰアドレスを用いて、表示装置２０Ａを特定することができる。この写真取得要求には、選択写真情報と、表示装置２０Ｂの自らのＩＰアドレスが含まれている。表示装置２０Ａのネットワークインターフェース部２４は、この写真取得要求を受信する。
【００５４】
最後に、表示装置２０Ａは、表示装置２０Ｂに対して写真を送信する（ステップＳ１０）。具体的には、表示装置２０Ａでは、まず制御部２９が、写真取得要求に含まれる選択写真情報に基づいて、記憶部２５に記憶された写真を検索する。そして、ネットワークインターフェース部２４が、インターネット通信手段Ｃを用いて、その写真を表示装置２０Ｂに送信する。その際、表示装置２０Ａは、ステップＳ９において取得した表示装置２０ＢのＩＰアドレスを用いて、表示装置２０Ｂを特定する。表示装置２０Ｂでは、ネットワークインターフェース部２４がこの写真を受信し、制御部２９がこの受信した写真を記憶部２５に記憶する。
【００５５】
以上により、このシーケンスは終了する。モバイル機器１０Ｂおよび表示装置２０Ｂのユーザは、モバイル機器１０Ｂをユーザーインターフェースとして表示装置２０Ｂを操作し、あるいは表示装置２０Ｂを直接操作することにより、表示装置２０Ｂの記憶部２５に記憶された写真を表示出力部２３に表示し、その写真を見ることができる。
【００５６】
図５は、モバイル機器１０Ａが、表示装置２０ＡからグローバルＩＰアドレスを取得し、モバイル機器１０Ｂに通知するまでの流れ図を表すものである。
【００５７】
まず、モバイル機器１０Ａは、表示装置２０ＡがグローバルＩＰアドレスを持っているかどうかを調べる（ステップＳ１００）。具体的には、まず、モバイル機器１０Ａは、表示装置２０Ａに対して、グローバルＩＰアドレスを持っているかどうかの問い合わせを行う。もしくは、モバイル機器１０Ａは、あらかじめ表示装置２０ＡがグローバルＩＰアドレスを持っているかどうかが設定されていてもよい。表示装置２０ＡがグローバルＩＰアドレスを持っている場合には、以下のステップＳ１１１〜Ｓ１１４に進む。表示装置２０ＡがグローバルＩＰアドレスを持っていない場合については、第２の実施の形態において説明する。
【００５８】
まず、モバイル機器１０Ａは、表示装置２０ＡのＩＰアドレスを既に取得済みかどうかを調べる（ステップＳ１１１）。モバイル機器１０ＡがそのＩＰアドレスをまだ取得していない場合にはステップＳ１１２に進み、既に取得済みの場合にはステップＳ１１４に進む。
【００５９】
次に、モバイル機器１０Ａは、表示装置２０ＡのＩＰアドレスを取得する（ステップＳ１１２）。このステップは、ステップＳ５，Ｓ６（図４）に対応するものである
【００６０】
次に、モバイル機器１０Ａは、表示装置２０ＡのＩＰアドレスが取得できたかどうかを調べる（ステップＳ１１３）。モバイル機器１０ＡがそのＩＰアドレスを取得できた場合にはステップＳ１１４に進み、取得できなかった場合にはこのフローを終了する。
【００６１】
最後に、モバイル機器１０Ａは、モバイル機器１０Ｂ（表示装置２０Ｂ）に対して、写真取得要求とともに、ステップＳ１１２において取得した表示装置２０ＡのＩＰアドレスを送信する。このステップは、ステップＳ７（図４）に対応するものである。
【００６２】
以上で、このフローが終了する。
【００６３】
（詳細動作例−写真を取得する場合）
図６は、モバイル機器１０Ａをユーザーインターフェースとして、表示装置２０Ｂから写真を取得する場合のシーケンス図を表すものである。以下に、その詳細動作を説明する。
【００６４】
まず、ユーザは、モバイル機器１０Ａに対して、表示装置２０Ｂに記憶されている写真の一覧を取得するように指示を行う（ステップＳ１１）。具体的には、モバイル機器１０Ａの表示出力部１２が、ユーザの指示に従い、写真取得の要求先の一覧を表示する。ユーザは、モバイル機器１０Ａの操作入力部１１を用いて、その一覧から要求先（この例では表示装置２０Ｂ（モバイル機器１０Ｂ））を選択する。
【００６５】
次に、モバイル機器１０Ａは、モバイル機器１０Ｂに対して写真一覧取得要求を送信する（ステップＳ１２）。具体的には、まず、モバイル機器１０ＡのＳＭＳ送受信部１３が、ＳＭＳ通信手段Ｂを用いて、ステップＳ１１において選択したモバイル機器１０Ｂに対して写真一覧取得要求を送信する。モバイル機器１０ＢのＳＭＳ送受信部１３は、この写真一覧取得要求を受信する。
【００６６】
次に、モバイル機器１０Ｂは、表示装置２０Ｂから写真一覧を取得する（ステップＳ１３〜Ｓ１４）。その具体例は、ステップＳ２〜Ｓ３（図４）と同様である。
【００６７】
次に、モバイル機器１０Ｂは、モバイル機器１０Ａに対して写真一覧を送信する（ステップＳ１５）。具体的には、モバイル機器１０ＢのＳＭＳ送受信部１３が、ＳＭＳ通信手段Ｂを用いて、モバイル機器１０Ａに対して写真一覧を送信する。モバイル機器１０ＡのＳＭＳ送受信部１３は、この写真一覧を受信する。
【００６８】
次に、ユーザは、写真を選択して取得するための指示を行う（ステップＳ１６）。具体的には、モバイル機器１０Ａの表示出力部１２が、ユーザの指示に従い、写真の一覧を表示する。ユーザは、モバイル機器１０Ａの操作入力部１１を用いて、その一覧から取得したい写真を選択する。
【００６９】
次に、モバイル機器１０Ａは、表示装置２０Ａに対してＩＰアドレス取得要求を送信し（ステップＳ１７）、表示装置２０Ａは、モバイル機器１０Ａに対してＩＰアドレスを送信する（ステップＳ１８）。その具体例は、ステップＳ５〜Ｓ６（図４）と同様である。
【００７０】
次に、モバイル機器１０Ａは、モバイル機器１０Ｂに対して写真送信要求を送信する（ステップＳ１９）。具体的には、モバイル機器１０ＡのＳＭＳ送受信部１３が、ＳＭＳ通信手段Ｂを用いて、ステップＳ１１において選択したモバイル機器１０Ｂに対して、写真送信要求を送信する。その際、写真送信要求には、ステップＳ１６において選択した取得したい写真のファイル名（選択写真情報）と、ステップＳ１８において取得した表示装置２０ＡのＩＰアドレスの情報が含まれている。モバイル機器１０ＢのＳＭＳ送受信部１３は、この写真取得要求を受信する。
【００７１】
次に、モバイル機器１０Ｂは、表示装置２０Ｂに対して写真送信要求を送信する（ステップＳ２０）。具体的には、モバイル機器１０Ｂにおいて、データ送受信部１５が、ローカルな機器間通信手段Ａを用いて、表示装置２０Ｂに対して写真送信要求を送信するとともに、識別情報送受信部１４が、表示装置２０ＡのＩＰアドレスを送信する。表示装置２０Ｂでは、データ送受信部２７がこの写真送信要求を受信するとともに、識別情報送受信部２６が表示装置２０ＡのＩＰアドレスを受信する。
【００７２】
最後に、表示装置２０Ｂは、表示装置２０Ａに対して写真を送信する（ステップＳ２１）。具体的には、まず、制御部２９が、ステップＳ２０において受信した写真送信要求に含まれる選択写真情報に基づいて、記憶部２５に記憶された写真を検索する。そして、ネットワークインターフェース部２４が、ステップＳ２０において取得した表示装置２０ＡのＩＰアドレスを用いて、表示装置２０Ａを特定し、インターネット通信手段Ｃを用いて、写真を表示装置２０Ａに送信する。
【００７３】
以上により、このシーケンスは終了する。モバイル機器１０Ａおよび表示装置２０Ａのユーザは、モバイル機器１０Ａをユーザーインターフェースとして表示装置２０Ａを操作し、あるいは表示装置２０Ａを直接操作することにより、表示装置２０Ａの記憶部２５に記憶された写真を表示出力部２３に表示し、その写真を見ることができる。
【００７４】
以上に示したように、通信システム１では、モバイル機器１０Ａがユーザーインターフェースとなり、表示装置２０Ａと表示装置２０Ｂとの間でデータの送受信を行う。その際、モバイル機器１０Ａが、ローカルな機器間通信手段Ａを用いて表示装置２０ＡのグローバルＩＰアドレスを取得し、ＳＭＳ通信手段Ｂを用いてモバイル機器１０Ｂに通知する。モバイル機器１０Ｂは、表示装置２０ＡのグローバルＩＰアドレスを、ローカルな機器間通信手段Ａを用いて表示装置２０Ｂに通知する。これにより、表示装置２０Ｂは、入手したグローバルＩＰアドレスに基づいて表示装置２０Ａを特定し、インターネット通信手段Ｃを用いて、表示装置２０Ａとの間でデータの送受信を行う。
【００７５】
つまり、通信システム１では、グローバルＩＰアドレスについては、ローカルな機器間通信手段ＡおよびＳＭＳ通信手段Ｂを用いることにより、インターネットよりもシンプルな方法で相手先に通知し、データ（写真）については、インターネット通信手段Ｃを用いることにより大容量の送受信を行っている。
【００７６】
［効果］
以上のように本実施の形態では、ローカルな機器間通信手段Ａを用いて表示装置と通信でき、ＳＭＳ通信手段Ｂを用いて他のモバイル機器と通信できるモバイル機器を用いるようにしたので、表示装置間でネットワークアドレスをやりとりするための時間を最小限に抑えることができる。
【００７７】
［変形例１−１］
上記実施の形態では、モバイル機器１０Ａを用いて送受信したい写真を選択するようにしたが、これに限定されるものではない。例えば、送信したい写真が記憶されている表示装置２０Ａの表示出力部２３に写真一覧を表示させ、その写真一覧から送受信したい写真を選択するようにしてもよい。以下、この変形例について説明する。
【００７８】
図７は、表示装置２０Ａから表示装置２０Ｂへ写真を送信する場合の他のシーケンス図を表すものであり、表示装置２０Ａに写真一覧を表示させるものである。図７は、上記実施の形態の図４に対応するものである。
【００７９】
まず、ユーザは、表示装置２０Ａに対して写真を選択するための指示を行う（ステップＳ２０１）。具体的には、ユーザの指示に従い、表示装置２０Ａの制御部２９が記憶部２５に記憶されている写真の一覧を作成し、表示出力部２３がその結果を表示する。ユーザは、この写真一覧から送信したい写真を選択する。表示装置２０Ａは、この選択結果（選択写真情報）を、後に写真取得要求（Ｓ２０９）（後述）を受信するまで記憶している。
【００８０】
次に、ユーザは、モバイル機器１０Ａに対して、写真を送信するための指示を行う（ステップＳ２０４）。具体的には、ユーザの指示に従い、モバイル機器１０Ａの表示出力部１２が写真の送信先の一覧を表示する。ユーザは、この写真の送信先の一覧から送信先（この例では表示装置２０Ｂ（モバイル機器１０Ｂ））を選択する。
【００８１】
その後、図４と同様に、モバイル機器１０Ａが表示装置２０ＡのＩＰアドレスを入手し（ステップＳ２０５〜Ｓ２０６）、そのＩＰアドレスを表示装置２０Ｂに送信し（ステップＳ２０７〜Ｓ２０８）、表示装置２０Ａと表示装置２０Ｂとの間で、インターネット通信手段Ｃを介して、データ（写真）の送受信が行われる（ステップＳ２０９〜Ｓ２１０）。その際、写真取得要求（ステップＳ２０７〜Ｓ２０９）は、選択写真情報を含んでいない。表示装置２０Ａは、Ｓ２０９において写真取得要求を受信すると、ステップＳ２０１において記憶した選択写真情報に基づいて、Ｓ２１０において写真を表示装置２０Ｂに送信する。
【００８２】
［変形例１−２］
上記実施の形態では、表示装置２０Ａが、表示装置２０Ｂに対してグローバルＩＰアドレスを通知するようにしたが、これに限定されるものではなく、これに代えて、例えば、表示装置２０Ｂが、表示装置２０Ａに対してグローバルＩＰアドレスを通知するようにしてもよい。以下、この変形例について詳細に説明する。
【００８３】
（詳細動作例−写真を送信する場合）
図８は、表示装置２０Ａから表示装置２０Ｂへ写真を送信する場合の他のシーケンス図を表すものであり、表示装置２０Ｂが、表示装置２０Ａに対してグローバルＩＰアドレスを通知するものである。以下に、その詳細動作を説明する。
【００８４】
まず、モバイル機器１０Ａは、表示装置２０Ａから写真一覧を取得する（ステップＳ６１〜Ｓ６３）。これらの具体例は、ステップＳ１〜Ｓ３（図４）と同様である。
【００８５】
次に、ユーザは、写真を選択して送信するための指示を行う（ステップＳ６４）。この具体例は、ステップＳ４（図４）と同様である。
【００８６】
次に、モバイル機器１０Ａは、モバイル機器１０Ｂに対してＩＰアドレス取得要求を送信する（ステップＳ６５）。具体的には、モバイル機器１０ＡのＳＭＳ送受信部１３が、ＳＭＳ通信手段Ｂを用いて、ステップＳ６４において選択したモバイル機器１０Ｂに対して、ＩＰアドレス取得要求を送信する。モバイル機器１０ＢのＳＭＳ送受信部１３は、この要求を受信する。
【００８７】
次に、モバイル機器１０Ｂは、表示装置２０Ｂに対してＩＰアドレス取得要求を送信する（ステップＳ６６）。具体的には、モバイル機器１０Ｂのデータ送受信部１５が、ローカルな機器間通信手段Ａを用いて、ＩＰアドレス取得要求を表示装置２０Ｂに送信する。表示装置２０Ｂのデータ送受信部２７は、この要求を受信する。
【００８８】
次に、表示装置２０Ｂは、モバイル機器１０Ｂに対してＩＰアドレスを送信する（ステップＳ６７）。具体的には、表示装置２０Ｂの識別情報送受信部２６が、ローカルな機器間通信手段Ａを用いて、自らのＩＰアドレス（グローバルＩＰアドレス）をモバイル機器１０Ｂに送信する。モバイル機器１０Ｂの識別情報送受信部１４は、このＩＰアドレスを受信する。
【００８９】
次に、モバイル機器１０Ｂは、モバイル機器１０Ａに対してＩＰアドレスを送信する（ステップＳ６８）。具体的には、モバイル機器１０ＢのＳＭＳ送受信部１３が、ＳＭＳ通信手段Ｂを用いて、表示装置２０ＢのＩＰアドレスをモバイル機器１０Ａに送信する。モバイル機器１０ＡのＳＭＳ送受信部１３は、このＩＰアドレスを受信する。
【００９０】
次に、モバイル機器１０Ａは、表示装置２０Ａに対して写真送信要求を送信する（ステップＳ６９）。具体的には、モバイル機器１０Ａにおいて、データ送受信部１５が、ローカルな機器間通信手段Ａを用いて、表示装置２０Ａに対して写真送信要求を送信するとともに、識別情報送受信部１４が、ステップＳ６８において取得した表示装置２０ＢのＩＰアドレスを送信する。その際、写真送信要求には、ステップＳ６４において選択した送信したい写真のファイル名（選択写真情報）が含まれている。表示装置２０Ａでは、データ送受信部２７がこの写真送信要求を受信するとともに、識別情報送受信部２６が表示装置２０ＢのＩＰアドレスを受信する。
【００９１】
最後に、表示装置２０Ａは、表示装置２０Ｂに対して写真を送信する（ステップＳ７００）。具体的には、表示装置２０Ａでは、まず制御部２９が、写真送信要求に含まれる選択写真情報に基づいて、記憶部２５に記憶された写真を検索する。そして、ネットワークインターフェース部２４が、インターネット通信手段Ｃを用いてその写真を表示装置２０Ｂに送信する。その際、表示装置２０Ａは、表示装置２０ＢのＩＰアドレスを用いて表示装置２０Ｂを特定する。表示装置２０Ｂでは、ネットワークインターフェース部２４がこの写真を受信し、制御部２９がこの受信した写真を記憶部２５に記憶する。
【００９２】
（詳細動作例−写真を取得する場合）
図９は、表示装置２０Ｂから写真を取得する場合の他のシーケンス図を表すものであり、表示装置２０Ｂが、表示装置２０Ａに対してグローバルＩＰアドレスを通知するものである。以下に、その詳細動作を説明する。
【００９３】
まず、モバイル機器１０Ａは、表示装置２０Ｂから写真一覧を取得する（ステップＳ７１〜Ｓ７５）。その具体例は、ステップＳ１１〜Ｓ１５（図６）と同様である。
【００９４】
次に、ユーザは、写真を選択して取得するための指示を行う（ステップＳ７６）。その具体例は、ステップＳ１６（図６）と同様である。
【００９５】
次に、モバイル機器１０Ａは、ステップＳ７１において設定した写真取得の要求先（表示装置２０Ｂ）のＩＰアドレスを取得する（ステップＳ７７〜Ｓ８０）。その具体例は、ステップＳ６５〜Ｓ６８（図８）と同様である。
【００９６】
次に、モバイル機器１０Ａは、表示装置２０Ａに対して写真取得要求を送信する（ステップＳ８１）。具体的には、モバイル機器１０Ａにおいて、データ送受信部１５が、ローカルな機器間通信手段Ａを用いて、表示装置２０Ａに対して写真取得要求を送信するとともに、識別情報送受信部１４が、表示装置２０ＢのＩＰアドレスを送信する。その際、写真取得要求には、ステップＳ７６において選択した、取得したい写真のファイル名（選択写真情報）が含まれている。表示装置２０Ａでは、データ送受信部２７がこの写真取得要求を受信するとともに、識別情報送受信部２６が表示装置２０ＢのＩＰアドレスを受信する。
【００９７】
次に、表示装置２０Ａは、表示装置２０Ｂに対して写真取得要求を送信する（ステップＳ８２）。具体的には、表示装置２０Ａのネットワークインターフェース部２４が、インターネット通信手段Ｃを用いて、写真取得要求を表示装置２０Ｂに送信する。その際、表示装置２０Ｂは、表示装置２０ＢのＩＰアドレスを用いて表示装置２０Ｂを特定することができる。この写真取得要求には、選択写真情報と、表示装置２０Ａの自らのＩＰアドレスが含まれている。表示装置２０Ｂのネットワークインターフェース部２４は、この写真取得要求を受信する。
【００９８】
最後に、表示装置２０Ｂは、表示装置２０Ａに対して写真を送信する（ステップＳ８３）。具体的には、表示装置２０Ｂでは、まず制御部２９が、写真取得要求に含まれる選択写真情報に基づいて、記憶部２５に記憶された写真を検索する。そして、ネットワークインターフェース部２４が、表示装置２０ＡのＩＰアドレスを用いて表示装置２０Ａを特定し、インターネット通信手段Ｃを用いて写真を表示装置２０Ａに送信する。
【００９９】
以上のように、表示装置２０ＢのグローバルＩＰアドレスを表示装置２０Ａに通知するようにしても、表示装置２０Ａ，２０Ｂ間で通信相手を特定することができ、データの送受信を行うことができる。
【０１００】
＜２．第２の実施の形態＞
次に、本発明の第２の実施の形態に係る表示システムについて説明する。本実施の形態は、表示装置２０ＡがグローバルＩＰアドレスを持たず、ルータを介してインターネットに接続するものである。その他の構成は、上記第１の実施の形態（図１）と同様である。なお、上記第１の実施の形態に係る表示システムと実質的に同一の構成部分には同一の符号を付し、適宜説明を省略する。
【０１０１】
［構成例］
図１０は、通信システム２の一構成例を表すものである。通信システム２はルータ４０Ａを備えている。ルータ４０Ａは、表示装置２０Ａと接続するためのネットワークと、インターネット９とを相互接続するためのものであり、インターネット９においてルータ４０Ａを識別するためのグローバルＩＰアドレスを有している。表示装置２０Ａとルータ４０Ａとは、この例ではローカルな機器間通信手段Ａ２であるＬＡＮにより接続されている。
【０１０２】
ここで、ルータ４０Ａは、本発明における「電子機器」の一具体例に対応し、表示装置２０Ａは、本発明における「第４のネットワーク機器」の一具体例に対応する。通信システム２は、本発明における「第１の通信システム」の一具体例に対応する。
【０１０３】
［動作および作用］
（詳細動作例−写真を送信する場合）
図１１は、表示装置２０Ａから表示装置２０Ｂへ写真を送信する場合のシーケンス図を表すものである。以下に、その詳細動作を説明する。
【０１０４】
次に、モバイル機器１０Ａは、表示装置２０Ａから写真一覧を取得する（ステップＳ３１〜Ｓ３３）。これらの具体例は、ステップＳ１〜Ｓ３（図４）と同様である。
【０１０５】
次に、ユーザは、写真を選択して送信するための指示を行う（ステップＳ３４）。これらの具体例は、ステップＳ４（図４）と同様である。
【０１０６】
次に、モバイル機器１０Ａは、ルータ４０Ａに対してＩＰアドレスおよびポート番号取得要求を送信する（ステップＳ３５）。具体的には、モバイル機器１０Ａのデータ送受信部１５が、ローカルな機器間通信手段Ａ，Ａ２を用いて、ＩＰアドレスおよびポート番号取得要求をルータ４０Ａに送信する。このポート番号は、いわゆるフォワーディング用のものであり、インターネット９に接続されたネットワーク機器（例えば表示装置２０Ｂ）が、ルータ４０ＡのグローバルＩＰアドレスとともに用いることにより、ルータ４０Ａを介して表示装置２０Ａを特定するためのものである。ルータ４０Ａは、この要求を受信する。
【０１０７】
次に、ルータ４０Ａは、モバイル機器１０Ａに対してＩＰアドレスおよびポート番号を送信する（ステップＳ３６）。具体的には、ルータ４０Ａが、ローカルな機器間通信手段Ａ，Ａ２を用いて、自らのＩＰアドレス（グローバルＩＰアドレス）およびポート番号をモバイル機器１０Ａに送信する。モバイル機器１０Ａの識別情報送受信部１４は、このＩＰアドレスおよびポート番号を受信する。
【０１０８】
次に、モバイル機器１０Ａは、表示装置２０Ｂに対して写真取得要求を送信する（ステップＳ３７〜Ｓ３８）。この具体例は、表示装置２０ＡのＩＰアドレスに代えて、ルータ４０ＡのＩＰアドレスおよびポート番号の情報を送信する以外は、ステップＳ７〜Ｓ８（図４）と同様である。
【０１０９】
次に、表示装置２０Ｂは、表示装置２０Ａに対して写真取得要求を送信する（ステップＳ３９）。具体的には、表示装置２０Ｂのネットワークインターフェース部２４が、インターネット通信手段Ｃを用いて、写真取得要求を表示装置２０Ａに送信する。その際、表示装置２０Ｂは、ルータ４０ＡのＩＰアドレスおよびポート番号を用いて、ルータ４０Ａを介してポートフォワーディングを行うことにより、表示装置２０Ａを特定することができる。この写真取得要求には、選択写真情報と、表示装置２０Ｂの自らのＩＰアドレスが含まれている。表示装置２０Ａのネットワークインターフェース部２４は、この写真取得要求を受信する。
【０１１０】
最後に、表示装置２０Ａは、表示装置２０Ｂに対して写真を送信する（ステップＳ４０）。具体的には、表示装置２０Ａでは、まず制御部２９が、写真取得要求に含まれる選択写真情報に基づいて、記憶部２５に記憶された写真を検索する。そして、ネットワークインターフェース部２４が、インターネット通信手段Ｃを用いて、その写真を表示装置２０Ｂに送信する。その際、表示装置２０Ａは、表示装置２０ＢのＩＰアドレスを用いて、表示装置２０Ｂを特定する。表示装置２０Ｂでは、ネットワークインターフェース部２４がこの写真を受信し、制御部２９がこの受信した写真を記憶部２５に記憶する。
【０１１１】
以上により、このシーケンスは終了する。
【０１１２】
モバイル機器１０Ａは、表示装置２０ＡがグローバルＩＰアドレスを持たない場合でも、図５に示したように、上記第１の実施の形態で示したグローバルＩＰアドレスを持つ場合（ステップＳ１１１〜Ｓ１１４）と同様にして、ルータ４０ＡからグローバルＩＰアドレスおよびポート番号を取得する。すなわち、表示装置２０ＡがグローバルＩＰアドレスを持たない場合の動作（ステップＳ１２１〜Ｓ１２４）は、識別情報を、表示装置２０ＡのＩＰアドレスに代えて、ルータ４０ＡのＩＰアドレスおよびポート番号とする以外は、ステップＳ１１１〜Ｓ１１４と同様である。
【０１１３】
（詳細動作例−写真を取得する場合）
図１２は、表示装置２０Ｂから写真を取得する場合のシーケンス図を表すものである。以下に、その詳細動作を説明する。
【０１１４】
まず、ユーザは、モバイル機器１０Ａに対して、表示装置２０Ｂに記憶されている写真の一覧を取得するように指示を行い（ステップＳ４１）、表示装置２０Ｂから写真一覧を取得する（ステップＳ４２〜Ｓ４５）。これらの具体例は、ステップＳ１１〜Ｓ１５（図６）と同様である。
【０１１５】
次に、ユーザは、写真を選択して取得するための指示を行う（ステップＳ４６）。この具体例は、ステップＳ１６（図６）と同様である。
【０１１６】
次に、モバイル機器１０Ａは、ルータ４０Ａから、ＩＰアドレスおよびポート番号を取得する（ステップＳ４７〜Ｓ４８）。これらの具体例は、ステップＳ３５〜Ｓ３６（図１１）と同様である。
【０１１７】
次に、モバイル機器１０Ａは、表示装置２０Ｂに対して写真送信要求を送信する（ステップＳ４９〜Ｓ５０）。その具体例は、表示装置２０ＡのＩＰアドレスに代えて、ルータ４０ＡのＩＰアドレスおよびポート番号の情報を送信する以外は、ステップＳ１９〜ＳＳ２０（図６）と同様である。
【０１１８】
最後に、表示装置２０Ｂは、表示装置２０Ａに対して写真を送信する（ステップＳ５１）。具体的には、表示装置２０Ｂでは、まず制御部２９が、写真送信要求に含まれる選択写真情報に基づいて、記憶部２５に記憶された写真を検索する。そして、ネットワークインターフェース部２４が、ルータ４０ＡのＩＰアドレスおよびポート番号を用いて、表示装置２０Ａを特定し、インターネット通信手段Ｃを用いて、写真を表示装置２０Ａに送信する。表示装置２０Ａでは、ネットワークインターフェース部２４がこの写真を受信し、制御部２９がこの受信した写真を記憶部２５に記憶する。
【０１１９】
以上により、このシーケンスは終了する。
【０１２０】
［効果］
以上のように本実施の形態では、ルータ４０ＡのグローバルＩＰアドレスをモバイル機器間でやりとりするようにしたので、表示装置２０ＡがグローバルＩＰアドレスを持たない場合であっても、表示装置２０Ｂとの間でデータの送受信を行うことができる。
【０１２１】
また、本実施の形態では、ルータ４０Ａを用いるようにしたので、ルータ４０Ａに接続された多くの電子機器と表示装置２０Ｂとの間でデータの送受信を行うことができる。その他の効果は、上記第１の実施の形態の場合と同様である。
【０１２２】
＜３．第３の実施の形態＞
次に、本発明の第３の実施の形態に係る表示システムについて説明する。この表示システム３は、モバイル機器をリモコンとして用いて、例えば、家庭の表示装置を外出先から遠隔操作するものである。なお、上記第１の実施の形態に係る表示システムと実質的に同一の構成部分には同一の符号を付し、適宜説明を省略する。
【０１２３】
［構成例］
図１３は、通信システム３の一構成例を表すものである。通信システム３はモバイル機器５０を備えている。モバイル機器５０は、モバイル機器１０と同様に、携帯電話、ＰＤＡ、携帯型音楽プレーヤなどの機器であり、他のモバイル機器（この例ではモバイル１０Ａ）との間で、ＳＭＳ通信手段Ｂにより情報をやり取りする機能を有するものである。また、モバイル機器５０は、インターネット９と接続されており、インターネット９に接続された他のネットワーク機器（この例では表示装置２０Ａ）との間で、インターネット通信手段Ｃにより情報をやりとりする機能をも有している。
【０１２４】
図１４は、モバイル機器５０の一構成例を表すものである。モバイル機器５０は、インターネット通信手段Ｃを実現するためのネットワークインターフェース部１６を備えている。
【０１２５】
この構成により、通信システム３では、ユーザはモバイル機器５０をリモコンとして用い、インターネット通信手段Ｃを介して表示装置２０Ａを遠隔操作することができるようになっている。
【０１２６】
ここで、モバイル機器５０は、本発明における「第３の通信端末装置」の一具体例に対応する。表示装置２０Ａは、本発明における「第２のネットワーク機器」の一具体例に対応する。通信システム３は、本発明における「第２の通信システム」の一具体例に対応する。
【０１２７】
［動作および作用］
図１５は、モバイル機器５０をリモコンとして、表示装置２０Ａを遠隔操作する場合のシーケンス図を表すものである。以下に、その詳細動作を説明する。
【０１２８】
まず、ユーザは、モバイル機器５０に対して、遠隔操作をする機器を選択するように指示を行う（ステップＳ９１）。具体的には、ユーザの指示に基づいて、モバイル機器５０の表示出力部１２が、遠隔操作可能な機器の一覧を表示する。ユーザは、モバイル機器１０Ａの操作入力部１１を用いて、この機器の一覧から、遠隔操作をしたい機器（この例では表示装置２０Ａ（モバイル機器１０Ａ））を選択する。
【０１２９】
次に、モバイル機器５０は、モバイル機器１０Ａに対して、ＩＰアドレス取得要求を送信する（ステップＳ９２）。具体的には、モバイル機器５０のＳＭＳ送受信部１３が、ＳＭＳ通信手段Ｂを用いて、ＩＰアドレス取得要求をモバイル機器１０Ａに送信する。モバイル機器１０ＡのＳＭＳ送受信部１３は、このＩＰアドレス取得要求を受信する。
【０１３０】
次に、モバイル機器１０Ａは、表示装置２０ＡのＩＰアドレスを取得する（ステップＳ９３〜Ｓ９４）。これらの具体例は、ステップＳ５〜Ｓ６（図４）と同様である。
【０１３１】
次に、モバイル機器１０Ａは、モバイル機器５０に対して、表示装置２０ＡのＩＰアドレスを送信する（ステップＳ９５）。具体的には、モバイル機器１０ＡのＳＭＳ送受信部１３が、ＳＭＳ通信手段Ｂを用いて、モバイル機器５０に対して表示装置２０ＡのＩＰアドレスを送信する。モバイル機器５０のＳＭＳ送受信部１３は、このＩＰアドレスを受信する。
【０１３２】
次に、ユーザは、モバイル機器５０に対して、機器の遠隔操作の指示を行う（ステップＳ９６）。具体的には、モバイル機器５０の表示出力部１２が、ユーザの指示に基づいて、ステップＳ９１において選択した機器を操作するための画面を表示する。ユーザは、モバイル機器１０Ａの操作入力部１１を用いて、その表示内容に基づいて遠隔操作の指示を行う。
【０１３３】
最後に、モバイル機器５０は、表示装置２０Ａに対して、機器の遠隔操作を行う（ステップＳ９７）。具体的には、モバイル機器５０のネットワークインターフェース部１６は、インターネット通信手段Ｃを用いて、表示装置２０に対して操作を指示する。表示装置２０Ａでは、ネットワークインターフェース部２４がこの指示を受信し、制御部２９がその指示に基づいて所望の動作を実行する。
【０１３４】
以上により、このシーケンスは終了する。
【０１３５】
［効果］
以上のように本実施の形態では、モバイル機器５０とモバイル機器１０Ａの間でグローバルＩＰアドレスをやりとりするようにしたので、外出先から家庭内の表示装置２０Ａを遠隔操作することができる。その他の効果は、上記第１の実施の形態の場合と同様である。
【０１３６】
以上、いくつかの実施の形態および変形例を挙げて本発明を説明したが、本発明はこれらの実施の形態等には限定されず、種々の変形が可能である。
【０１３７】
例えば、上記第１〜第３の各実施の形態では、モバイル機器１０Ａ，１０Ｂ間の通信はＳＭＳにより行うものとしたが、これに限定されるものではなく、例えば直接に通信相手を特定するなどにより、情報のやりとりに時間がかからないものであればどのようなものでもよい。
【０１３８】
例えば、上記第１〜第３の各実施の形態では、ネットワーク機器として表示装置を用いるものとしたが、これに限定されるものではない。例えば、録画機器やパーソナルコンピュータなどのネットワーク機器、冷蔵庫や炊飯器などの白物家電品が適用可能である。
【０１３９】
例えば、上記第１〜第３の各実施の形態では、通信端末装置としてモバイル機器を用いるものとしたが、これに限定されるものではなく、ローカルな機器間通信手段ＡおよびＳＭＳ通信手段Ｂを有する電子機器であれば、例えば据置型であってもよい。
【０１４０】
例えば、上記第１〜第２の各実施の形態では、表示装置２０ＢがグローバルＩＰアドレスを有し、直接インターネット９に接続するようにしたが、これに限定されるものではない。すなわち、表示装置２０Ｂは、グローバルＩＰアドレスを持たず、ルータを介してインターネット９に接続するようにしてもよい。この場合でも、表示装置２０Ｂは、通知された表示装置２０ＡのＩＰアドレスに基づいて、表示装置２０Ａを特定し、表示装置２０Ａとの間で電子情報のやり取りを行うことができる。
【０１４１】
例えば、上記第１〜第３の各実施の形態では、遠隔操作の対象の表示装置（第１〜第２の実施の形態における表示装置２０Ｂ、および第３の実施の形態における表示装置２０Ａ）と情報のやりとりをする前に、これらの表示装置に対して電源をオンにするように指示してもよい。図１６は、第１の実施の形態におけるシーケンス図（図４）において、表示装置２０Ｂに対して電源をオンにする指示を与える場合を表すものである。ステップＳ８Ｐにおいて、モバイル機器１０Ｂは、表示装置２０Ｂに対してローカルな機器間通信手段Ａにより電源起動要求を行っている。これにより、表示装置２０Ｂは、仮に電源がオフ状態になっていたとしても、モバイル機器１０Ｂからの電源起動要求に従って電源をオン状態にすることができ、続く写真取得要求（ステップＳ８）を正常に受信することができる。
【符号の説明】
【０１４２】
１，２，３…通信システム、９…インターネット、１０，１０Ａ，１０Ｂ，５０…モバイル機器、１１…操作入力部、１２…表示出力部、１３…ＳＭＳ送受信部、１４，２６…識別情報送受信部、１５，２７…データ送受信部、１９…制御部、２０，２０Ａ，２０Ｂ…表示装置、２１…チューナ、２２…画像処理部、２３…表示出力部、１６，２４…ネットワークインターフェース部、２５…記憶部、４０Ａ…ルータ、Ａ，Ａ２…ローカルな機器間通信手段、Ｂ…ＳＭＳ通信手段、Ｃ…インターネット通信手段。
【図１】
2011188111.tif 000003
【図２】
2011188111.tif 000004
【図３】
2011188111.tif 000005
【図４】
2011188111.tif 000006
【図５】
2011188111.tif 000007
【図６】
2011188111.tif 000008
【図７】
2011188111.tif 000009
【図８】
2011188111.tif 000010
【図９】
2011188111.tif 000011
【図１０】
2011188111.tif 000012
【図１１】
2011188111.tif 000013
【図１２】
2011188111.tif 000014
【図１３】
2011188111.tif 000015
【図１４】
2011188111.tif 000016
【図１５】
2011188111.tif 000017
【図１６】
2011188111.tif 000018